(57)【要約】【課題】  高ビットレートのＡＤＰＣＭ信号を、音質を低下させることなく、低ビットレートに変換することのできる音声符号化器及び音声符号化方法を提供する。【解決手段】  音声信号１０１をＡＤＰＣＭ符号化する１次符号化器１１と、１次符号化器１１によってＡＤＰＣＭ符号化されたビット列を並べ替えるインタリーバ１２と、インタリーバ１２によって並べ替えられたビット列を可逆符号化して出力する２次符号化器１３とを備える音声符号化器１０。１次符号化器１１によってＡＤＰＣＭ符号化されたビット列を、インタリーバ１２によって並べ替えてその冗長度を高め、２次符号化器１３での圧縮率を上げることにより、例えば、量子化幅５ビット相当の音質を確保しつつ、低ビットレートに変換することが可能となる。【選択図】  図１
2005215567.tif 000002
【特許請求の範囲】
【請求項１】
音声信号をＡＤＰＣＭ符号化する１次符号化器と、
該１次符号化器によってＡＤＰＣＭ符号化されたビット列を並べ替えるインタリーバと、
該インタリーバによって並べ替えられたビット列を可逆符号化して出力する２次符号化器とを備えることを特徴とする音声符号化器。
【請求項２】
音声信号をＡＤＰＣＭ符号化するステップと、
前記ＡＤＰＣＭ符号化されたビット列を並べ替えるステップと、
前記並べ替えられたビット列を可逆符号化して出力するステップとを備えることを特徴とする音声符号化方法。
【発明の詳細な説明】
【技術分野】
【０００１】
本発明は、音声符号化器及び音声符号化方法に関し、特に、高ビットレートのＡＤＰＣＭ信号を、音質を低下させることなく低ビットレートに変換する音声符号化器及び音声符号化方法に関する。
【背景技術】
【０００２】
従来、連続的に変化するアナログ音声の性質を利用し、ＡＤ変換されたデータの前回との差分を記録してデータ量を低減するデジタル音声記録方式として、ＡＤＰＣＭ（Adaptive Differential Pulse Code Modulation）が用いられている。
【０００３】
このＡＤＰＣＭに関連する技術として、例えば、ＡＤＰＣＭ符号化器による伝送品質の劣化を最小限に抑え、通常の音声信号のレベルダイヤに影響を与えずにエラーレートの低い理想的な状態でＡＤＰＣＭ伝送を行う技術（特許文献１参照）や、入力音声信号をフィルタリングした後、線形予測符号化し、入力信号との誤差電力を算出する方法を２種類以上のフィルタについて行い、最小の誤差電力時の線形予測残差信号量子化値を選択することにより、線型予測符号化特有の耳ざわりな雑音を軽減する技術（特許文献２参照）等が存在する。
【０００４】
【特許文献１】特開平７−９５１６５号公報
【特許文献２】特開平２−２５９７００号公報
【発明の開示】
【発明が解決しようとする課題】
【０００５】
従来、一般に使用されている量子化幅４ビットのＡＤＰＣＭは、低ビットレート（32kbps）ではあるが、信号対量子化雑音比（ＳＮＲ）が低く、波形歪みが大きいという欠点があった。量子化幅を５ビットとすれば、ＳＮＲは向上するが、ビットレートが40kbpsと高くなるという問題があった。また、量子化幅５ビットのＡＤＰＣＭ信号をそのまま他の符号化方式で圧縮したとしても有意なビットレートの低減効果を得ることができないという問題があった。
【０００６】
そこで、本発明は、上記従来の技術における問題点に鑑みてなされたものであって、高ビットレートのＡＤＰＣＭ信号を、音質を低下させることなく、例えば、量子化幅５ビット相当の音質を確保しつつ、低ビットレートに変換することのできる音声符号化器及び音声符号化方法を提供することを目的とする。
【課題を解決するための手段】
【０００７】
上記目的を達成するため、本発明は、音声符号化器であって、音声信号をＡＤＰＣＭ符号化する１次符号化器と、該１次符号化器によってＡＤＰＣＭ符号化されたビット列を並べ替えるインタリーバと、該インタリーバによって並べ替えられたビット列を可逆符号化して出力する２次符号化器とを備えることを特徴とする。
【０００８】
そして、本発明によれば、１次符号化器によってＡＤＰＣＭ符号化されたビット列を、インタリーバによって並べ替えてその冗長度を高め、２次符号化器での圧縮率を上げることができるため、高ビットレートのＡＤＰＣＭ信号を、音質を低下させることなく、低ビットレートに変換することが可能となる。例えば、１次符号化器を40kbpsのＡＤＰＣＭ符号化器とした場合に、２次符号化器に原データを完全に復元できる可逆符号化方式を用いているため、音声符号化器出力の音質が変化することなく、インタリーバにてＡＤＰＣＭ信号を並べ替えることによりビット列の冗長度が高められ、並べ替えずに可逆符号化した場合より圧縮率が向上するため、40kbpsより十分低いビットレートのデータを出力することができる。
【０００９】
また、本発明は、音声符号化方法であって、音声信号をＡＤＰＣＭ符号化するステップと、前記ＡＤＰＣＭ符号化されたビット列を並べ替えるステップと、前記並べ替えられたビット列を可逆符号化して出力するステップとを備えることを特徴とする。これによって、上述のように、高ビットレートのＡＤＰＣＭ信号を、音質を低下させることなく、低ビットレートに変換することができる。
【発明の効果】
【００１０】
以上説明したように、本発明によれば、高ビットレートのＡＤＰＣＭ信号を、音質を低下させることなく、低ビットレートに変換することのできる音声符号化器及び音声符号化方法を提供することができる。
【発明を実施するための最良の形態】
【００１１】
図１は、本発明にかかる音声符号化器の一実施の形態を示し、この音声符号化器は、音声信号をＡＤＰＣＭ符号化する１次符号化器１１と、ビット列の並びを変換するインタリーバ１２と、可逆符号化器である２次符号化器１３とで構成される。
【００１２】
１次符号化器１１は、例えば、ＩＴＵ−ＴのＧ．７２６で標準化されている、量子化幅５ビットのＡＤＰＣＭ符号化器である。２次符号化器１３は、一般にファイル圧縮等に使用される任意の可逆符号化方式を採用する。
【００１３】
インタリーバ１２は、図２に示すように、メモリとして、横方向にＭビット、縦方向にＮビットのサイズを有するＲＡＭ２１を備え、Ｍは１次符号化器１の量子化ビット数と同じ５であり、ＮはＭより十分大きい数である。
【００１４】
次に、上記構成を有する音声符号化器の動作について説明する。
【００１５】
入力音声信号１０１は、64kbpsの対数ＰＣＭ符号化された音声信号であり、１次符号化器１１によってＡＤＰＣＭ符号化され、１次符号化器出力１０２として出力される。１次符号化器出力１０２は、インタリーバ１２によってビットの並びが変換され、インタリーバ出力１０３として出力される。インタリーバ出力１０３は、２次符号化器１３にて可逆符号化され、音声符号化器出力１０４として出力される。
【００１６】
次に、インタリーバ１２の動作について図２を参照しながら説明する。
【００１７】
インタリーバ１２に入力された１次符号化器出力１０２は、Ｍ×Ｎビット毎にＲＡＭ２１に書き込まれた後、読み出されてインタリーバ出力１０３として出力される。その際、書込み時は、データ書込み方向２０１に示すように横方向に書き込み、読出し時は、データ読出し方向２０２に示すように縦方向に読み出すことにより、ビット列の並びが変換される。
【図面の簡単な説明】
【００１８】
【図１】本発明にかかる音声符号化器の一実施の形態を示すブロック図である。
【図２】図１の音声符号化器のインタリーバを示すブロック図である。
【符号の説明】
【００１９】
１１    １次符号化器
１２    インタリーバ
１３    ２次符号化器
１０１  入力音声信号
１０２  １次符号化器出力
１０３  インタリーバ出力
１０４  音声符号化器出力
２１    ＲＡＭ（Random Access Memory）
２０１  データ書込み方向
２０２  データ読出し方向
【図１】
2005215567.tif 000003
【図２】
2005215567.tif 000004